【手続補正書】
【提出日】平成16年11月11日(2004.11.11)
【手続補正１】
【補正対象書類名】明細書
【補正対象項目名】全文
【補正方法】変更
【補正の内容】
【書類名】明細書
【発明の名称】接着用シート
【特許請求の範囲】
【請求項１】基材シートの少なくとも片面の一部に接着層が設けられた接着用シートにおいて、前記接着層が接着剤を主成分とする接着剤層と、接着剤を主成分とする層より下層に位置する機能剤からなる機能層を積層した、２層以上の層構造をもつことを特徴とする接着用シート。
【発明の詳細な説明】
【０００１】
【発明が属する技術分野】
本発明は、一時的に接着するが必要時に容易に剥離できる機能を有する疑似接着性または剥離不能な永久接着性を示す接着用シートに関するものである。
【０００２】
【従来の技術】
近年は、通信、郵送などの連絡手段により情報を伝達する量が多くなる一方で個人情報など親展性を必要とする連絡手段が重要視され要望されている。
【０００３】
また、郵便法の改正にともない、親展性を有する葉書システムが実用化され、普及している。親展性を有する葉書システムとは、個人情報などの各種情報が折り畳み内面に記録された往復葉書状の葉書を、折り畳み重ね合わせた面を再剥離可能に疑似接着して、情報を隠蔽した後、郵送し、受取人が疑似接着部分を剥離して隠蔽情報を読みとるというものである。これらの親展性を必要とする連絡手段には、例えば会社が従業員に、銀行やクレジット会社が顧客に親展性を有する情報を連絡するものである。
【０００４】
かかる親展性を有する情報伝達手段として、疑似接着性シートを利用したものが発明され盛んに利用されている。疑似接着性シートは、基材シートの少なくとも片面の一部に、天然ゴム、合成ゴムなどのいわゆる非剥離性接着剤と、その接着剤の接着力を抑制する微粒子充填剤とからなる接着剤の層が設けられており、一時的に接着するが必要時に容易に剥離できる機能を有するものが一般的である。
【０００５】
他方、高品質の印刷が施されたダイレクトメール用等の通知手段においては、高品質の印刷を施すとき、印刷の裏抜けを隠すために、印刷面の裏面側を２つ折にし、その折面相互を剥離不能（完全に剥離不能のほか、剥離ができるもののその剥離したとき接着層が破断したり、基材の一部または全体が破断するものも含む）に感圧接着剤により接着して永久接着性シートとしたものである。
【０００６】
この場合における疑似接着性シートおよび永久接着性シートは、基材シートに接着剤層の単一の層が形成されたものである。
【０００７】
前記接着剤は、黄変化、接着力の低下、硬化に代表されるように経時的に劣化する（以下老化現象という）ものであり、特に天然ゴムは老化現象による性能変化が著しい。一般に、接着剤の老化現象は、大気中の酸素との接触及び紫外線吸収などによる酸化が主因とされている。
【０００８】
また通常接着剤層中に微粒子充填剤が配合されているが、この微粒子充填剤の配合量や分散状態によって接着強度が安定しない問題もある。
【０００９】
また、接着剤組成物調整時の機械安定性が悪く、基材シートへの塗布適性に問題がある。
【００１０】
したがって、従来、疑似接着性シートおよび永久接着性シートにおいては、接着剤層中に接着剤の酸化を防止するための酸化防止剤および紫外線吸収防止剤を添加している。また接着剤組成物の塗布適性向上のため粘着付与剤、界面活性剤、増粘剤、消泡剤、離型剤なども同一接着剤層中に添加している。
【００１１】
また、近年では、このような親展性を必要とする連絡手段の需要急増に伴い、高効率かつ高品位な疑似接着性シートへの情報印刷が要求されるようになっており、このため、疑似接着性シートへの情報印刷方法は、従来用いられていたコンピュータと組み合わせたインパクトプリンタによる印刷から、コンピュータと組み合わせた電子写真法やインクジェット記録法による印刷にシフトしつつあり、トナー再転写、インクの滲み等の問題が発生している。
【００１２】
それらの問題を解決するために、機能剤として多くのものが接着剤層中に添加されている。例えば微粒子充填剤、粘着付与剤、滑剤、顔料、アンチスリップ剤、緩衝剤、帯電防止剤、界面活性剤、増粘剤、消泡剤、離型剤、ブロッキング防止剤、プリンタートナー定着剤などがある。これらの機能剤も接着剤層中に混入し使用している。
【００１３】
【発明が解決しようとする課題】
しかし、これらの機能剤は単一の接着剤層中に混入して使用しているため、その効果を発揮させるためには接着剤層中に所定量以上の添加が必要となる。その結果、機能剤の種類によっては、接着性を低下させる原因になるものもある。
【００１４】
他方、疑似接着性シートの場合には、顔料または微粒子充填剤なども塗料の物性の向上、印刷適性の向上、ブロッキング防止などの効果を出すために疑似接着剤層中に所定量添加されるが、その粒子径や添加量によって特性が大きく左右される。同様なことは印刷裏抜けを防止するために顔料または微粒子充填剤を添加する永久接着性シートにも当てはまる。
【００１５】
これらの問題は、単一の接着剤層中に目的の特性に応じた各種の機能剤（材料または剤）を添加していることに起因していると考えられる。
【００１６】
従って、本発明の主たる課題は、接着性シート作成時の接着剤組成物の塗布適性向上と接着剤の品質安定化、機能剤の効果を充分発揮させることができ、かつ、設計が容易である接着性シートを提供することにある。
【００１７】
【課題を解決するための手段】
この目的を達成するために発明者らは、鋭意研究を重ねた結果、次のことが知見された。すなわち、接着剤を主成分とする接着剤層と接着剤を主成分とする層より下層に位置する機能剤からなる機能層を積層することによって、単一の接着剤層での混合によって効果を弱められていた各機能剤の効果を十分引き出せ、接着剤の老化防止と塗布適性向上、接着剤を少量でかつ接着力を容易に調整可能であること、印刷適性の向上、耐ブロッキング性の向上、プリンターの感光ドラムへの接着剤の付着防止、カールの防止効果等も向上する。
【００１８】
【発明の実施の形態】
以下、本発明に係る接着用シートについてさらに詳述する。
【００１９】
まず、本発明に係る接着用シートの形態について添付図面を参照しつつ説明する。図１は２折葉書の裏面の斜視図である。図２は２折葉書の表面の平面図である。この場合、裏面に接着層が設けられている。
【００２０】
図３は、図１のＡ−Ａ'の断面図を示したもので、基材シートの片面に接着層を設けた場合の断面を模式的に示した図である。基材シート１０上に各機能剤を含む機能層１１、その上に接着剤を主成分とする接着剤層１２とからなるものである。
【００２１】
図１及び図２に示す２折葉書は接着用シート１の折り畳み面の内側に２層以上からなる接着層を有し、その接着層上に情報を印刷若しくは印字し、例えばミシン目５を介して折り合わせて加圧接着するもので、いずれも接着層同士を重ね合わせて接着するものである。
【００２２】
上記例においては、郵送された受取人は接着部を見開くことにより隠弊されていた印刷情報、印字情報を読みとることができる。
【００２３】
本発明の接着用シートは上記例に掲げた以外にも広く好適に用いられる。例えば、本発明は、各種葉書、封書、報告書、タグ、ラベル、値札などにも好適に使用されるものであり、また、感圧接着剤を基剤の一部のみ塗布したり、一部再剥離を容易ならしめることも可能である。
【００２４】
本発明において、基材シート１０としては、上質紙、中質紙、コート紙、合成紙、プラスチックフィルムなどを用いることができる。
【００２５】
本発明において、接着剤を主成分とする層に用いられる接着剤としては、感圧接着剤、感熱接着剤、再湿接着剤、ディレードタック型粘着剤があり、それぞれ用途に応じて適当なものが用いられる。これらは、通常の接着剤として用いられているもので、本来、一旦接着したならば再び剥離しないものである。
【００２６】
本発明の感圧接着剤としては、通常の状態で接着することがなく、加圧により接着する性質を有するものであって、ラテックス、具体的には天然ゴム系、合成ゴム系または合成樹脂系等の従来通常の感圧接着剤に使用されているものの中から任意に選択して用いることができる、特に、天然ゴムを無硫黄加硫し、メタアクリル酸メチルと混合した天然ゴムラテックス、天然ゴムにメタアクリル酸メチルをグラフト共重合させてえられた天然ゴムや合成ゴムをベース接着剤、アクリル変性ゴムラテックス、ゴムラテックスと保護コロイド系アクリル共重合エマルジョンとの混合物が好適である。
【００２７】
また、本発明の感熱接着剤としては、通常の状態で接着することがなく、熱または熱と圧力によって接着する性質を有するものであって、この接着剤についても特に制限はなく、従来通常の感熱接着剤に使用されているものの中から任意に選択して用いることができる。とくに、ディレードタック型粘着剤がゴム系接着剤と異なり、粘着剤層面が平滑になり易いことから好適である。
【００２８】
さらに、本発明の再湿接着剤としては、通常の状態で接着することがなく、再湿によって接着する性質を有するものであって、この接着剤についても特に制限はなく、従来通常の再湿接着剤に使用されているものの中から任意に選択して用いることができる。接着剤基剤としては、水溶性高分子化合物が再湿接着剤として慣用されているが、例えば、ポリビニルアルコールやポリエチレンオキシド等が好適である。
【００２９】
機能層もしくは、更に接着剤を主成分とする接着剤層に使用する微粒状充填剤としては、従来一般に用いられている微粒子充填剤の全てを用いることができる。具体的には、一次または二次凝集体を形成しているカルサイト系沈降性炭酸カルシウム、一次または二次凝集体を形成しているアラゴナイト系炭酸カルシウム、スチレンビーズ、穀物澱粉、変性澱粉、合成微粒子シリカ、通常のカルシウムや亜鉛、マグネシウム、アルミニウムもしくはチタンなどの金属酸化物、水酸化物、炭酸塩もしくは珪酸塩、またはこれらの混合物が挙げられる。ポーラスな二次凝集体からなるホワイトカーボンも用いることができる。これら材料は、単独でも複数を組み合わせてもよい。
【００３０】
接着剤の塗工に際して、塗工方法としては、エアーナイフコーター、ブレードコーター、カーテンコーター、バーコーター、フレキソ印刷、スクリーン印刷、スプレー塗布などの塗工・印刷方式が好適である。
【００３１】
本発明においては、図３に示すように基材シート１０に機能層１１を設けその上に接着剤を主成分とする接着剤層１２を設ける。この場合、接着剤層は薄い膜厚のみでその機能を発揮することができるので、相対的に単一に接着剤層を形成する場合と比較して少ない接着剤で効果を発揮することができる。
【００３２】
機能層もしくは接着剤層に用いる機能剤としては、多くのものを挙げることができる。例えば、微粒子充填剤、滑剤、顔料、アンチスリップ剤、緩衝剤、帯電防止剤、界面活性剤、離型剤、ブロッキング防止剤、プリンタートナー定着剤、酸化防止剤、紫外線吸収防止剤、粘着付与剤、増粘剤、消泡剤等がある。
【００３３】
従来、疑似接着性シートにおける接着剤に対する前記機能剤としての挙動または機能は、きわめて不明瞭であり、それらが複数添加されることにより更にそれらの効果が不明瞭となり、接着用シートの設計に大きな支障となっていた。また、基剤上に塗布する際の機能剤の分散性、塗工液の経時変化、塗工後の塗膜の形成挙動に変化をももたらす。
【００３４】
さらに、接着剤に悪影響を及ぼす機能剤を添加した場合、接着剤の劣化、経時黄変化、接着強度の経時変化、フォーム加工時におけるミシン目加工性や折加工性の悪化を招いたり、積み重ねによるブロッキングの発生、接着させたくない部位への接着剤の付着、特に天然ゴム系感圧接着剤などを使用した際に生じ易い塗膜表面のべとつきの発生などを招く。
【００３５】
しかるに、本発明によれば、接着剤を主成分とする接着剤層とその下層に位置する機能層を別々に設けることによって、接着剤に悪影響を与えることなく、接着用シートの用途に対する適合性を発揮することができる。さらに接着剤を主成分とする層を上層に積層することによって、接着剤の塗布量を大幅に削減できるのでコストの低減を図ることができる。
【００３６】
他方、接着用シートは、現在葉書用途に多く使用されている。葉書用途への使用を例にすると葉書への隠弊情報のプリントは、電子複写による方法のほか、インクジェット記録法など各種印刷方法が採られている。電子複写方式とインクジェット記録法を例にとれば、接着用シートに必要とされる適正な品質は、印刷方式毎に適性が異なり、例えば電子複写方式では、表面の電気抵抗、インクジェット記録法では表面のインキ吸収性がある。
【００３７】
この場合において、接着剤を主成分とする接着剤層に、電子複写印刷に対しては、電気伝導剤、プリンタートナー定着剤、インクジェット印刷に対しては、微細粒子などのインキ吸収剤、耐紫外線対策には紫外線吸収剤、配送用伝票用途に対しては、耐水化剤を添加した接着剤層を設けても良い。
【００３８】
通常、単一の接着剤層の上に各機能を有した機能層を別に設ける場合、その機能層が接着剤層の接着力を弱めるため接着剤層の接着力を大きくする必要があるが、本発明においては、接着剤を主成分としてなる層の下に機能剤からなる層を設けているので接着強度を大きくする必要はない。
【００３９】
例えば、接着剤を主成分としてなる接着剤層の下に微粒子充填剤を主成分とする機能層があることによって、上層に塗布される接着剤層の塗布適性向上、印刷印字の裏抜け防止、下に形成される層によるクッション効果、基材シートの寸法安定性の向上によるカール防止効果等がある
本発明においては、機能剤からなる層の上層に接着剤を主成分とする接着剤層を積層していく時点で、塗布適性が向上する。また、接着剤を主成分とする構成を機能層の上層に構成しているため、接着剤層の膜厚を薄くでき、下層になる機能層の効果を発揮し易い構成となっている。例えば機能層に粒径の異なる２種類の微粒子充填剤を用い機能層表面に凹凸を形成させることによって、接着剤層においてもクッション効果の向上がある。
【００４０】
また、機能層に微粒子充填剤を主成分とする層を設けることにより、接着用シートの温湿度の変化による伸び縮みも少なくなり寸法安定性が良くなり、カールの防止効果も向上する。
【００４１】
接着用シート１の剥離力は、２０℃、５０％ＲＨの環境下に測定片を３０分以上放置し、大日本印刷社製またはムーア社製の圧着機により１５０μｍのギャップを通して疑似接着させた後、巾５ｃｍに裁断し、接着シート（紙）部におけるＴピールの引っ張り強度が４００ｇ以下が望ましい。疑似接着層は、接着用シート１の一方に設けるほか、両者に設けてもよい。
【００４２】
【発明の効果】
以上説明したところで明らかなように、本発明によれば、基材シート上に、接着剤を主成分とする接着剤層と、接着剤層より下層に機能を高める機能層とを別々に設け、適宜な機能剤を配合することによって、接着剤の効果を損ねることなく各機能剤の効果を十分引き出すことができる。その結果、接着剤の塗布適性向上、印刷適性の向上、接着力を容易に調整することが可能になり、耐ブロッキング性の向上、プリンターの感光ドラムへの接着剤の付着防止、湿度変化、熱などの外部環境の変化による接着力の変動を防ぎ、カールの防止効果も向上することなどの効果がある。
【図面の簡単な説明】
【図１】
２折葉書の裏面の斜視図である。
【図２】
２折葉書の表面の平面図である。
【図３】
図１のＡ−Ａ'線断面図である。
【符号の説明】
１…接着用シート、２…接着層、３…隠蔽情報、４…宛名情報、５…ミシン目、１０…基材シート、１１…機能層、１２…接着剤層。